(57)【要約】  照明器具（１０）は、受信部（１２）と、記憶部（３０）と、決定部（４２）と、送信部（１４）とを備える。受信部（１２）は、対象機器（１００）へのユーザ指示を受信する。記憶部（３０）は、受信されたユーザ指示の内容と受信のタイミングとを記憶する。決定部（４２）は、対象機器（１００）への自動指示の内容を決定する。送信部（１４）は、対象機器（１００）へ自動指示を送信する。決定部（４２）は、記憶部（３０）の記憶に基づいて自動指示の内容を決定する。
2020137981.tif 000002
【特許請求の範囲】
【請求項１】
対象機器へのユーザ指示を受信する受信部と、
前記受信されたユーザ指示の内容と前記受信のタイミングとを記憶する記憶部と、
前記対象機器への自動指示の内容を決定する決定部と、
前記対象機器へ前記自動指示を送信する送信部と
を備え、
前記決定部は、前記記憶部の記憶に基づいて前記自動指示の内容を決定する、照明器具。
【請求項２】
前記記憶部は、前記送信された自動指示の内容と前記送信のタイミングとを更に記憶する、請求項１に記載の照明器具。
【請求項３】
環境条件を検知するセンサを更に備え、
前記記憶部は、前記受信又は送信のタイミングを示す情報として、前記検知された環境条件を記憶する、請求項１又は請求項２に記載の照明器具。
【請求項４】
時間を計測する時計を更に備え、
前記記憶部は、前記受信又は送信のタイミングを示す情報として、前記受信又は送信の時刻を記憶する、請求項１から請求項３のいずれか１項に記載の照明器具。
【請求項５】
前記自動指示に対する新たなユーザ指示に基づいて前記決定の良否を判定する判定部と、
前記判定部により否と判定された前記自動指示の内容を補正する補正部と
を更に備えた、請求項１から請求項４のいずれか１項に記載の照明器具。
【請求項６】
シーリングライトとして発光ダイオードを含む光源部を更に備えた、請求項１から請求項５のいずれか１項に記載の照明器具。
【発明の詳細な説明】
【技術分野】
【０００１】
本発明は、照明器具に関する。
【背景技術】
【０００２】
特許文献１に記載の照明器具は、エアコン又はテレビのような家電機器の動作を、目覚め補助のための光出力制御と連動させる。
【先行技術文献】
【特許文献】
【０００３】
【特許文献１】特開２００４−１４６２２７号公報
【発明の概要】
【発明が解決しようとする課題】
【０００４】
特許文献１に記載の照明器具は、例えばエアコンへのユーザ指示をエアコンの以後の制御に反映できなかった。【０００５】
そこで、本発明は上記事情を考慮し、対象機器へのユーザ指示を対象機器への以後の自動指示に反映させる機能を備えた照明器具を提供することを目的とする。
【課題を解決するための手段】
【０００６】
本発明の照明器具は、受信部と、記憶部と、決定部と、送信部とを備える。前記受信部は、対象機器へのユーザ指示を受信する。前記記憶部は、前記受信されたユーザ指示の内容と前記受信のタイミングとを記憶する。前記決定部は、前記対象機器への自動指示の内容を決定する。前記送信部は、前記対象機器へ前記自動指示を送信する。前記決定部は、前記記憶部の記憶に基づいて前記自動指示の内容を決定する。
【発明の効果】
【０００７】
本発明によれば、対象機器へのユーザ指示を対象機器への以後の自動指示に反映させる機能を備えた照明器具を提供することができる。
【図面の簡単な説明】
【０００８】
【図１】第１実施形態における照明器具の使用環境の一例を示す概念図である。
【図２】第１実施形態における照明器具の構成の一例を示すブロック図である。
【図３】指示ログの一例を示す図である。
【図４】指示ログの他の例を示す図である。
【図５】第２実施形態における照明器具の構成の一例を示すブロック図である。
【発明を実施するための形態】
【０００９】
本発明の第１及び第２実施形態について、図１〜図５を参照しながら説明する。なお、図中、同一又は相当部分については同一の参照符号を付して説明を繰り返さない。
【００１０】
［第１実施形態］
本発明の第１実施形態について、図１〜図４を参照しながら説明する。
【００１１】
まず、図１を参照して、第１実施形態における照明器具１０の使用環境を説明する。図１は、照明器具１０の使用環境の一例を示す概念図である。
【００１２】
図１に示すように、照明器具１０は、光源として発光ダイオードを備えたシーリングライトである。以下、発光ダイオードをＬＥＤ（Ｌｉｇｈｔ  Ｅｍｉｔｔｉｎｇ  Ｄｉｏｄｅ）という。
【００１３】
照明器具１０が設置された部屋の中に、照明器具１０が制御しようとする対象機器１００がある。対象機器１００は、例えばエアコンである。ユーザは、赤外線を利用したリモコン１１０により、対象機器１００へユーザ指示を発する。照明器具１０は、リモコン１１０からのユーザ指示を傍受し、ユーザ指示を反映させた自動指示の内容を決定し、対象機器１００へ自動指示を発する。天井に設置された照明器具１０は、対象機器１００への赤外線信号を容易に傍受できる。
【００１４】
次に、図２を参照して、図１中の照明器具１０の構成を説明する。図２は、第１実施形態における照明器具１０の構成の一例を示すブロック図である。
【００１５】
図２に示すように、照明器具１０は、受信部１２と、送信部１４と、ＬＥＤ光源部１６と、センサ１８と、時計２０と、記憶部３０と、制御部４０とを備える。
【００１６】
受信部１２は、リモコン１１０から対象機器１００へのユーザ指示を受信する。リモコン１１０は、ユーザ指示を赤外線信号として送信する。
【００１７】
送信部１４は、対象機器１００へ自動指示を送信する。送信部１４は、自動指示を赤外線信号として送信する。
【００１８】
ＬＥＤ光源部１６は、シーリングライトの光源としてＬＥＤを含む。
【００１９】
センサ１８は、環境条件を検知する。センサ１８は、例えば温度センサ、照度センサ、及び人感センサを含む。温度センサは、室内の温度を検知する。照度センサは、室内の照度を検知する。人感センサは、室内のユーザの有無を検知する。
【００２０】
人感センサとして、焦電センサ又は音波センサが利用可能である。人感センサに代えて、夜間照度の変動検知、リモコン１１０からの赤外線信号の有無検知、音源の有無検知によっても、室内のユーザの有無は検知可能である。
【００２１】
時計２０は、時間を計測する。計測結果は、日付及び時刻を含む。
【００２２】
記憶部３０は、データ及びコンピュータプログラムを記憶する。記憶部３０は、半導体メモリのような記憶装置を含む。
【００２３】
記憶部３０は、データの一例として指示ログ３１を記憶する。指示ログ３１は、受信されたユーザ指示の内容と、受信のタイミングとを含む。指示ログ３１は、送信された自動指示の内容と、送信のタイミングとを更に含む。指示ログ３１は、受信又は送信のタイミングを示す情報として、センサ１８により検知された環境条件を含む。指示ログ３１は、受信又は送信のタイミングを示す情報として、時計２０により計測された、受信又は送信の日付及び時刻を更に含む。
【００２４】
制御部４０は、ＣＰＵ（Ｃｅｎｔｒａｌ  Ｐｒｏｃｅｓｓｉｎｇ  Ｕｎｉｔ）のようなプロセッサを含む。制御部４０のプロセッサは、記憶部３０に記憶されたコンピュータプログラムを実行することによって、照明器具１０の各構成を制御する。
【００２５】
制御部４０は、ログ管理部４１と、決定部４２と、判定部４３と、補正部４４とを有する。制御部４０は、記憶部３０に記憶されたコンピュータプログラムを実行することによって、ログ管理部４１、決定部４２、判定部４３、及び補正部４４として機能する。
【００２６】
ログ管理部４１は、指示ログ３１の更新を管理する。
【００２７】
決定部４２は、記憶部３０に記憶された指示ログ３１に基づいて、対象機器１００への自動指示の内容を決定する。
【００２８】
判定部４３は、自動指示に対する新たなユーザ指示に基づいて、決定部４２による決定の良否を判定する。判定部４３は、自動指示の送信から自動指示の内容を変更するユーザ指示の受信までの経過時間が短いほど、ユーザの満足度が低いと判定することができる。
【００２９】
制御部４０は、特段の事情がない限り、自動指示よりもユーザ指示を優先することを基本とする。
【００３０】
補正部４４は、判定部４３により否と判定された自動指示の内容を補正する。
【００３１】
次に、図２及び図３を参照して、制御部４０の処理について説明する。図３は、指示ログ３１の一例を示す図である。この例は、ユーザが蒸し暑い夏にエアコンをオフタイマ運転させて就寝したが、朝方寝苦しくて目覚め、エアコンの運転を再開させた例である。
【００３２】
ユーザは、８月１０日の２３時００分に、リモコン１１０で対象機器１００の電源をオンするように手動操作を行った。この時点でユーザは、対象機器１００の設定温度を２８℃とし、３時間オフタイマを起動した。センサ１８の出力は、温度が３０℃、照度が３００ルクス、人感ありを示していた。受信部１２は赤外線信号によるユーザ指示を受信し、ログ管理部４１は指示ログ３１を更新した。図３の指示ログ３１のうちの１行目は、８月１０日の２３時００分におけるユーザ指示の記録である。
【００３３】
ユーザは、照明器具１０を消灯して就寝したが、対象機器１００がオフタイマ動作で運転を停止したことにより室温が設定温度を維持できず上昇したため、朝方寝苦しくて目覚め、照明器具１０を点灯した。そして、ユーザは、８月１１日の４時００分に、リモコン１１０で対象機器１００の電源を再度オンするように手動操作を行った。この時点でもユーザは、対象機器１００の設定温度を２８℃とし、３時間オフタイマを起動した。センサ１８の出力は、温度が２９℃、照度が３００ルクス、人感ありを示していた。受信部１２は赤外線信号によるユーザ指示を受信し、ログ管理部４１は指示ログ３１を更新した。図３の指示ログ３１のうちの２行目は、８月１１日の４時００分におけるユーザ指示の記録である。
【００３４】
ユーザは、８月１１日の２２時３０分に、リモコン１１０で対象機器１００の電源をオンするように手動操作を行った。この時点でユーザは、対象機器１００の設定温度を２８℃とし、３時間オフタイマを起動した。センサ１８の出力は、温度が３０℃、照度が３００ルクス、人感ありを示していた。受信部１２は赤外線信号によるユーザ指示を受信し、ログ管理部４１は指示ログ３１を更新した。図３の指示ログ３１のうちの３行目は、８月１１日の２２時３０分におけるユーザ指示の記録である。
【００３５】
決定部４２は、図３の指示ログ３１のうちの１行目から３行目までの経緯に基づいて、８月１２日の４時００分に対象機器１００の電源をオンするように自動指示の内容を決定した。自動指示の内容は、８月１１日の４時００分におけるユーザ指示と同様の内容であった。送信部１４は、決定された自動指示に基づく赤外線信号を送信することにより、ユーザに代わって対象機器１００を自動操作した。送信部１４は、対象機器１００の設定温度を２８℃とし、３時間オフタイマを起動した。センサ１８の出力は、温度が２９℃、照度が３０ルクス、人感ありを示していた。ログ管理部４１は指示ログ３１を更新した。図３の指示ログ３１のうちの４行目は、８月１２日の４時００分における自動指示の記録である。
【００３６】
なお、気象条件により８月１２日の４時００分におけるセンサ１８の出力が温度２８℃以下を示していた場合、決定部４２は、対象機器１００の電源を設定温度２８℃でオンするような自動指示の決定を差し控えるようにしてもよい。
【００３７】
次に、図２及び図４を参照して、制御部４０の処理について更に説明する。図４は、指示ログ３１の他の例を示す図である。この例は、照明器具１０による自動指示の内容が補正された例である。
【００３８】
ユーザは、８月１０日の２３時００分に、リモコン１１０で対象機器１００の電源をオンするように手動操作を行った。この時点でユーザは、対象機器１００の設定温度を２０℃とし、３時間オフタイマを起動した。センサ１８の出力は、温度が３０℃、照度が３００ルクス、人感ありを示していた。受信部１２は赤外線信号によるユーザ指示を受信し、ログ管理部４１は指示ログ３１を更新した。図４の指示ログ３１のうちの１行目は、８月１０日の２３時００分におけるユーザ指示の記録である。
【００３９】
決定部４２は、図４の指示ログ３１のうちの１行目の記録に基づいて、８月１１日の２３時００分に対象機器１００の電源をオンするように自動指示の内容を決定した。自動指示の内容は、８月１０日の２３時００分におけるユーザ指示と同様の内容であった。送信部１４は、決定された自動指示に基づく赤外線信号を送信することにより、ユーザに代わって対象機器１００を自動操作した。送信部１４は、対象機器１００の設定温度を２０℃とし、３時間オフタイマを起動した。センサ１８の出力は、温度が３０℃、照度が３００ルクス、人感ありを示していた。ログ管理部４１は指示ログ３１を更新した。図４の指示ログ３１のうちの２行目は、８月１１日の２３時００分における自動指示の記録である。
【００４０】
ユーザは、寒気を感じたため、８月１１日の２３時０１分に、リモコン１１０で対象機器１００の設定温度を２８℃に変更するように手動操作を行った。センサ１８の出力は、温度が２５℃、照度が３００ルクス、人感ありを示していた。受信部１２は赤外線信号によるユーザ指示を受信し、ログ管理部４１は指示ログ３１を更新した。図４の指示ログ３１のうちの３行目は、８月１１日の２３時０１分におけるユーザ指示の記録である。
【００４１】
決定部４２は、８月１２日の２３時００分に対象機器１００の電源を設定温度が２０℃でオンするように自動指示の内容を決定した。ところが、判定部４３は、８月１１日の２３時００分における自動指示の直後に新たなユーザ指示があったことを受けて、決定部４２による決定を否と判定した。補正部４４は、判定部４３により否と判定された自動指示の内容を補正した。具体的には、対象機器１００の設定温度が２０℃から２８℃に補正された。送信部１４は、補正された自動指示に基づく赤外線信号を送信することにより、ユーザに代わって対象機器１００を自動操作した。送信部１４は、対象機器１００の設定温度を２８℃とし、３時間オフタイマを起動した。センサ１８の出力は、温度が３０℃、照度が３００ルクス、人感ありを示していた。ログ管理部４１は指示ログ３１を更新した。図４の指示ログ３１のうちの４行目は、８月１２日の２３時００分における自動指示の記録である。
【００４２】
第１実施形態によれば、対象機器１００へのユーザ指示を対象機器１００への以後の自動指示に反映させる機能を備えた照明器具１０を提供することができる。
【００４３】
また、指示ログ３１に基づく自動指示の補正を含んだ学習を制御部４０が進めていくうち、ユーザ指示に対する自動指示の比率が増大することが期待される。しかも、ユーザが照明器具１０を他の部屋へ移動させれば、蓄積された指示ログ３１も同時に移動するので、学習結果のポータブル性が実現する。
【００４４】
［第２実施形態］
本発明の第２実施形態について、図５を参照しながら説明する。
【００４５】
図５を参照して、照明器具１０の構成を説明する。図５は、第２実施形態における照明器具１０の構成の一例を示すブロック図である。
【００４６】
図５に示すように、第２実施形態は、照明器具１０の受信部１２が電波信号を受信する点で、第１実施形態と異なる。スマートフォン１２０は、ユーザ指示を電波信号として送信する。受信部１２は、スマートフォン１２０から発信された電波信号を直接受信し、又はホームネットワークを介して受信する。
【００４７】
第２実施形態において、決定部４２は、記憶部３０に記憶された指示ログ３１に基づいて対象機器１００への自動指示の内容を決定するだけでなく、受信したユーザ指示の内容と同一となるように対象機器１００への自動指示の内容を決定する。
【００４８】
第２実施形態によれば、対象機器１００がホームネットワークに接続されていなくとも、ユーザは、照明器具１０を介して対象機器１００をスマートフォン１２０で手動操作することができる。
【００４９】
上記した実施形態の説明は、本発明における好適な実施形態を説明しているため、技術的に好ましい種々の限定を付している場合もあるが、本発明の技術範囲は、特に本発明を限定する記載がない限り、これらの態様に限定されるものではない。すなわち、上記実施形態における構成要素は適宜、既存の構成要素等との置き換えが可能であり、かつ、他の既存の構成要素との組合せを含む様々なバリエーションが可能である。上記実施形態の記載をもって、特許請求の範囲に記載された発明の内容を限定するものではない。
【００５０】
（１）第１及び第２実施形態では、図１〜図５に示されるように対象機器１００がエアコンであるとしたが、これに限られない。対象機器１００は、空気清浄機、加湿器、除湿器、又は暖房器具のような他の機器でもよい。
【００５１】
（２）第１及び第２実施形態では、図１、図２及び図５に示されるように、受信部１２がリモコン１１０からの赤外線信号又はスマートフォン１２０からの電波信号によってユーザ指示を受信したが、これに限られない。受信部１２は、スマートスピーカで音声入力によるユーザ指示を受信することも可能である。
【００５２】
（３）第１及び第２実施形態では、図１〜図５に示されるように制御部４０がログ管理部４１、決定部４２、判定部４３、及び補正部４４を備えるとしたが、これら各部の機能のうちの全部又は一部は外部サーバへの移管が可能である。指示ログ３１も外部サーバに記憶されてもよい。
【００５３】
（４）第１実施形態では、図３及び図４に示されるようにセンサ１８が温度、照度、及び人感という環境条件を検知したが、これに限られない。センサ１８が湿度又は気圧を環境条件として検知し、湿度又は気圧が指示ログ３１の中に記憶されてもよい。
【産業上の利用可能性】
【００５４】
本発明は、照明器具の分野に利用可能である。
【符号の説明】
【００５５】
１０    照明器具
１２    受信部
１４    送信部
１６    ＬＥＤ光源部
１８    センサ
２０    時計
３０    記憶部
３１    指示ログ
４０    制御部
４１    ログ管理部
４２    決定部
４３    判定部
４４    補正部
１００  対象機器
１１０  リモコン
１２０  スマートフォン
【図１】
2020137981.tif 000003
【図２】
2020137981.tif 000004
【図３】
2020137981.tif 000005
【図４】
2020137981.tif 000006
【図５】
2020137981.tif 000007
【国際調査報告】
2020137981.tif 000008
2020137981.tif 000009
2020137981.tif 000010
2020137981.tif 000011